(57)【要約】【課題】車体に有する外付けアンテナと内蔵アンテナを切替えて使用するディジタルＴＶ放送を受信するためのＰＮＤやポータブルＴＶにおいて、大型のアンテナ切替えＩＣとアンテナ切替え制御信号を不要化したい。【解決手段】アンテナ切替えＩＣの代わりにダイオードスイッチを設け、外付けアンテナの有するＬＮＡに供給する電源のＯＮ／ＯＦＦに伴い、これをスイッチする。これにより前記二つのアンテナのうち、いずれか一つを選択することで、使用する部品や制御信号の簡素化と装置の小型化ができる。【選択図】図２
2011077666.tif 000002
【特許請求の範囲】
【請求項１】
所定の変調を施されて送信された放送信号を受信し、受信信号を処理するテレビジョン放送の受信装置のチューナモジュールであって、
前記テレビジョン放送を受信する第１のアンテナから供給された受信信号と、前記テレビジョン放送を受信し受信信号を内蔵するＬＮＡで増幅する第２のアンテナから供給された受信信号のいずれかを選択して受信信号を出力するダイオードスイッチと、
該ダイオードスイッチに所定の直流電圧を供給してＯＮ／ＯＦＦ動作を制御し、さらに前記第２のアンテナの内蔵するＬＮＡに動作電源を供給する第１の電源の供給端子と、
前記第１の電源が前記ダイオードスイッチに供給する直流電圧よりも低い直流電圧を前記ダイオードに供給する第２の電源の供給端子と、
前記ダイオードスイッチのカソード側に現れた受信信号が供給され、これを所定の周波数帯に周波数変換する周波数変換部と、
該周波数変換部で変換された受信信号が供給され、送信時に施された前記変調を復調する復調部
を有することを特徴とする受信装置のチューナモジュール。
【請求項２】
ＭＰＥＧ方式に基づきデータ圧縮され、所定の変調が施されて送信された放送信号を受信し、受信信号を処理するテレビジョン放送の受信装置であって、
前記テレビジョン放送を受信する第１のアンテナと、
前記テレビジョン放送を受信し受信信号を内蔵するＬＮＡで増幅する第２のアンテナから供給された受信信号が入力される入力端子と、
前記第１のアンテナから供給された受信信号がアノード端子に、前記入力端子から供給された受信信号がカソード端子に接続されたダイオードと、
該ダイオードのカソード端子に直流電圧を供給し、さらに前記第２のアンテナの内蔵するＬＮＡに動作電源を供給する第１の電源と、
前記ダイオードのアノード端子に前記第１の電源が前記カソード端子に供給する直流電圧よりも低い直流電圧を供給する第２の電源と、
前記第１の電源をＯＮ／ＯＦＦ制御する制御部と、
前記ダイオードのカソード側に現れた受信信号が供給され、これを所定の周波数帯に周波数変換する周波数変換部と、
該周波数変換部で変換された受信信号が供給され、送信時に施された前記変調を復調する復調部と、
該復調部で復調された受信信号が供給され、送信時に施されたＭＰＥＧ方式に基づくデータ圧縮を伸張して復号するＭＰＥＧ復号部と、
該ＭＰＥＧ復号部で復号された受信信号が供給され、画像表示するに適したフォーマットのアナログ信号に変換するＡＶ−ＩＦ部と、
該ＡＶ−ＩＦ部で変換された受信信号を画像表示するモニタ
を有することを特徴とする受信装置。
【請求項３】
放送信号を受信し、受信信号を処理するテレビジョン放送の受信装置のアンテナ切替え回路であって、
前記テレビジョン放送を受信する第１のアンテナから供給された受信信号がアノード端子に、前記テレビジョン放送を受信し受信信号を内蔵するＬＮＡで増幅する第２のアンテナから供給された受信信号がカソード端子に接続されたダイオードと、
該ダイオードのカソード端子に直流電圧を供給し、さらに前記第２のアンテナの内蔵するＬＮＡに動作電源を供給する第１の電源と、
前記ダイオードのアノード端子に前記第１の電源が前記カソード端子に供給する直流電圧よりも低い直流電圧を供給する第２の電源と、
前記第１の電源をＯＮ／ＯＦＦ制御する制御部
を有し、前記ダイオードのカソード側に現れた受信信号を切替え出力とすることを特徴とする受信装置のアンテナ切替え回路。
【請求項４】
所定の変調が施されて送信された放送信号を受信し、受信信号を処理するテレビジョン放送の受信装置のチューナモジュールであって、
前記テレビジョン放送を受信する第１のアンテナで受信された受信信号が入力される第１の入力端子と、
前記テレビジョン放送を受信し受信信号を内蔵するＬＮＡで増幅する第２のアンテナから供給された受信信号が入力される第２の入力端子と、
前記第１の入力端子から供給された受信信号がアノード端子に、前記第２の入力端子から供給された受信信号がカソード端子に接続されたダイオードと、
該ダイオードのカソード端子に直流電圧を供給し、さらに前記第２のアンテナの内蔵するＬＮＡに動作電源を供給する第１の電源の供給端子と、
前記ダイオードのアノード端子に前記第１の電源が前記カソード端子に供給する直流電圧よりも低い直流電圧を供給する第２の電源の供給端子と、
前記ダイオードのカソード側に現れた受信信号が供給され、これを所定の周波数帯に周波数変換する周波数変換部と、
該周波数変換部で変換された受信信号が供給され、送信時に施された前記変調を復調する復調部
を有することを特徴とする受信装置のチューナモジュール。
【請求項５】
ＭＰＥＧ方式に基づきデータ圧縮され、所定の変調が施されて送信された放送信号を受信し、受信信号を処理するテレビジョン放送の受信装置であって、
前記テレビジョン放送を受信する第１のアンテナと、
前記テレビジョン放送を受信し受信信号を内蔵するＬＮＡで増幅する第２のアンテナで受信された受信信号が入力される入力端子と、
前記第１のアンテナから供給された受信信号がアノード端子に接続された第１のダイオードと、
前記入力端子から供給された受信信号がアノード端子に接続され、カソード端子が前記第１のダイオードのカソード端子に接続された第２のダイオードと、
前記第２のダイオードのアノード端子に直流電圧を供給し、さらに前記第２のアンテナの内蔵するＬＮＡに動作電源を供給する第１の電源と、
前記第１のダイオードのアノード端子に前記第１の電源が前記第２のダイオードのアノード端子に供給する直流電圧よりも低い直流電圧を供給する第２の電源と、
前記第１の電源をＯＮ／ＯＦＦ制御する制御部と、
前記第１及び第２のダイオードのカソード側に現れた受信信号が供給され、これを所定の周波数帯に周波数変換する周波数変換部と、
該周波数変換部で変換された受信信号が供給され、送信時に施された前記変調を復調する復調部と、
該復調部で復調された受信信号が供給され、送信時に施されたＭＰＥＧ方式に基づくデータ圧縮を伸張して復号するＭＰＥＧ復号部と、
該ＭＰＥＧ復号部で復号された受信信号が供給され、画像表示するに適したフォーマットのアナログ信号に変換するＡＶ−ＩＦ部と、
該ＡＶ−ＩＦ部で変換された受信信号を画像表示するモニタ
を有することを特徴とする受信装置。
【請求項６】
放送信号を受信し、受信信号を処理するテレビジョン放送の受信装置のアンテナ切替え回路であって、
前記テレビジョン放送を受信する第１のアンテナから供給された受信信号がアノード端子に接続された第１のダイオードと、
前記テレビジョン放送を受信し受信信号を内蔵するＬＮＡで増幅する第２のアンテナから供給された受信信号がアノード端子に接続され、カソード端子が前記第１のダイオードのカソード端子に接続された第２のダイオードと、
前記第２のダイオードのアノード端子に直流電圧を供給し、さらに前記第２のアンテナの内蔵するＬＮＡに動作電源を供給する第１の電源と、
前記第１のダイオードのアノード端子に前記第１の電源が前記第２のダイオードのアノード端子に供給する直流電圧よりも低い直流電圧を供給する第２の電源と、
前記第１の電源をＯＮ／ＯＦＦ制御する制御部
を有し、前記第１及び第２のダイオードのカソード側に現れた受信信号を切替え出力とすることを特徴とする受信装置のアンテナ切替え回路。
【請求項７】
所定の変調を施されて送信された放送信号を受信し、受信信号を処理するテレビジョン放送の受信装置のチューナモジュールであって、
前記テレビジョン放送を受信する第１のアンテナで受信された受信信号が入力される第１の入力端子と、
前記テレビジョン放送を受信し受信信号を内蔵するＬＮＡで増幅する第２のアンテナから供給された受信信号が入力される第２の入力端子と、
前記第１の入力端子から供給された受信信号がアノード端子に接続された第１のダイオードと、
前記第２の入力端子から供給された受信信号がアノード端子に接続され、カソード端子が前記第１のダイオードのカソード端子に接続された第２のダイオードと、
該第２のダイオードのアノード端子に直流電圧を供給し、さらに前記第２のアンテナの内蔵するＬＮＡに動作電源を供給する第１の電源の供給端子と、
前記第１のダイオードのアノード端子に前記第１の電源が前記第２のダイオードのアノード端子に供給する直流電圧よりも低い直流電圧を供給する第２の電源の供給端子と、
前記第１及び第２のダイオードのカソード側に現れた受信信号が供給され、これを所定の周波数帯に周波数変換する周波数変換部と、
該周波数変換部で変換された受信信号が供給され、送信時に施された前記変調を復調する復調部
を有することを特徴とする受信装置のチューナモジュール。
【請求項８】
請求項２または請求項５に記載の受信装置であって、前記復調部は直交周波数分割多重方式による変調を復調することを特徴とする受信装置。
【請求項９】
請求項１、請求項４及び請求項７のいずれか一項に記載の受信装置のチューナモジュールであって、前記復調部は直交周波数分割多重方式による変調を復調することを特徴とする受信装置のチューナモジュール。
【発明の詳細な説明】
【技術分野】
【０００１】
本発明は受信装置、受信装置のアンテナ切替え回路、及び受信装置のチューナモジュールに係わり、特にアンテナ切替え部を簡素化した受信装置、受信装置のアンテナ切替え回路、及び受信装置のチューナモジュールに関するものである。
【背景技術】
【０００２】
ＰＮＤ（Personal Navigation Device）やポータブルＴＶ（Television）においては、車に搭載した状態で地上ディジタル放送を受信することが多い。従って受信エリアを広げるうえでも、受信感度が良好なことは重要である。現在の携帯電話などのモバイル装置には、装置に内蔵したセラミックチップアンテナか、装置に取付けられたロッドアンテナを用いて、地上ディジタル放送の一種であるワンセグ放送を受信するものがある。一方、前記ＰＮＤやポータブルＴＶでは、装置に内蔵されたフィルムアンテナ（フレキシブル基板に銅などの導体を内蔵して形成されることが多い）、または装置に取付けられたロッドアンテナのほかに、例えば車体に取付けられたＬＮＡ（Low Noise Amplifier）内蔵の外付けアンテナを接続して使用するものが多い。外付けアンテナを使用することで、前記した受信感度の大幅な改善が期待できる。一方、受信回路に供給する受信信号を切替えるためのアンテナ切替え回路とその切替え制御が必要となる。
【０００３】
特許文献１はアンテナ切替え回路に係り、受信状態が強電界状態の場合はアンテナ切替え回路に供給する電源をオフし、基板間アイソレーションで信号出力を得るようにして、強電界地区であっても映像と音声の悪化や歪を抑え、良好な受信状態を確保する技術を開示している。
【先行技術文献】
【特許文献】
【０００４】
【特許文献１】特開２０００−３４１１８５号公報
【発明の概要】
【発明が解決しようとする課題】
【０００５】
ＰＮＤやポータブルＴＶの受信回路においては、前記したように、いずれのアンテナの受信信号を受信回路に供給するかを選択するためのアンテナ切替え回路と、その切替え制御が必要である。このためアンテナと受信回路の先頭にあるチューナモジュールとの間には切替え用のＩＣ（Integrated Circuit）が搭載されており、ＭＰＵ（Micro Processor Unit）からの制御信号でアンテナ切替えを行っていた。なお、前記外付けアンテナの有するＬＮＡの電源は受信装置側から供給されている。
【０００６】
しかし、前記アンテナ切替え用のＩＣには、サイズの大きなＭＯＳＦＥＴ（Metal Oxide Semiconductor Field Effect Transistor）のスイッチを内蔵する必要があり、大型で価格的にも高価になる問題がある。また、このスイッチを切替え制御するための制御信号が必要なこともあって、装置を小型化し簡素化するうえで好ましくなかった。
本発明の目的はこれら問題を解決し、アンテナ切替え部を簡素化した受信装置、受信装置のアンテナ切替え回路、及び受信装置のチューナモジュールを提供することにある。
【課題を解決するための手段】
【０００７】
前記目的を達成するため本発明は、所定の変調を施されて送信された放送信号を受信し、受信信号を処理するテレビジョン放送の受信装置のチューナモジュールであって、前記テレビジョン放送を受信する第１のアンテナから供給された受信信号と、前記テレビジョン放送を受信し受信信号を内蔵するＬＮＡで増幅する第２のアンテナから供給された受信信号のいずれかを選択して受信信号を出力するダイオードスイッチと、該ダイオードスイッチに所定の直流電圧を供給してＯＮ／ＯＦＦ動作を制御し、さらに前記第２のアンテナの内蔵するＬＮＡに動作電源を供給する第１の電源の供給端子と、前記第１の電源が前記ダイオードスイッチに供給する直流電圧よりも低い直流電圧を前記ダイオードに供給する第２の電源の供給端子と、前記ダイオードスイッチのカソード側に現れた受信信号が供給され、これを所定の周波数帯に周波数変換する周波数変換部と、該周波数変換部で変換された受信信号が供給され、送信時に施された前記変調を復調する復調部を有することを特徴としている。
【０００８】
また本発明は、ＭＰＥＧ方式に基づきデータ圧縮され、所定の変調が施されて送信された放送信号を受信し、受信信号を処理するテレビジョン放送の受信装置であって、前記テレビジョン放送を受信する第１のアンテナと、前記テレビジョン放送を受信し受信信号を内蔵するＬＮＡで増幅する第２のアンテナから供給された受信信号が入力される入力端子と、前記第１のアンテナから供給された受信信号がアノード端子に、前記入力端子から供給された受信信号がカソード端子に接続されたダイオードと、該ダイオードのカソード端子に直流電圧を供給し、さらに前記第２のアンテナの内蔵するＬＮＡに動作電源を供給する第１の電源と、前記ダイオードのアノード端子に前記第１の電源が前記カソード端子に供給する直流電圧よりも低い直流電圧を供給する第２の電源と、前記第１の電源をＯＮ／ＯＦＦ制御する制御部と、前記ダイオードのカソード側に現れた受信信号が供給され、これを所定の周波数帯に周波数変換する周波数変換部と、該周波数変換部で変換された受信信号が供給され、送信時に施された前記変調を復調する復調部と、該復調部で復調された受信信号が供給され、送信時に施されたＭＰＥＧ方式に基づくデータ圧縮を伸張して復号するＭＰＥＧ復号部と、該ＭＰＥＧ復号部で復号された受信信号が供給され、画像表示するに適したフォーマットのアナログ信号に変換するＡＶ−ＩＦ部と、該ＡＶ−ＩＦ部で変換された受信信号を画像表示するモニタを有することを特徴としている。
【０００９】
また本発明は、放送信号を受信し、受信信号を処理するテレビジョン放送の受信装置のアンテナ切替え回路であって、前記テレビジョン放送を受信する第１のアンテナから供給された受信信号がアノード端子に、前記テレビジョン放送を受信し受信信号を内蔵するＬＮＡで増幅する第２のアンテナから供給された受信信号がカソード端子に接続されたダイオードと、該ダイオードのカソード端子に直流電圧を供給し、さらに前記第２のアンテナの内蔵するＬＮＡに動作電源を供給する第１の電源と、前記ダイオードのアノード端子に前記第１の電源が前記カソード端子に供給する直流電圧よりも低い直流電圧を供給する第２の電源と、前記第１の電源をＯＮ／ＯＦＦ制御する制御部を有し、前記ダイオードのカソード側に現れた受信信号を切替え出力とすることを特徴としている。
【００１０】
また本発明は、所定の変調が施されて送信された放送信号を受信し、受信信号を処理するテレビジョン放送の受信装置のチューナモジュールであって、前記テレビジョン放送を受信する第１のアンテナで受信された受信信号が入力される第１の入力端子と、前記テレビジョン放送を受信し受信信号を内蔵するＬＮＡで増幅する第２のアンテナから供給された受信信号が入力される第２の入力端子と、前記第１の入力端子から供給された受信信号がアノード端子に、前記第２の入力端子から供給された受信信号がカソード端子に接続されたダイオードと、該ダイオードのカソード端子に直流電圧を供給し、さらに前記第２のアンテナの内蔵するＬＮＡに動作電源を供給する第１の電源の供給端子と、前記ダイオードのアノード端子に前記第１の電源が前記カソード端子に供給する直流電圧よりも低い直流電圧を供給する第２の電源の供給端子と、前記ダイオードのカソード側に現れた受信信号が供給され、これを所定の周波数帯に周波数変換する周波数変換部と、該周波数変換部で変換された受信信号が供給され、送信時に施された前記変調を復調する復調部を有することを特徴としている。
【００１１】
また本発明は、ＭＰＥＧ方式に基づきデータ圧縮され、所定の変調が施されて送信された放送信号を受信し、受信信号を処理するテレビジョン放送の受信装置であって、前記テレビジョン放送を受信する第１のアンテナと、前記テレビジョン放送を受信し受信信号を内蔵するＬＮＡで増幅する第２のアンテナで受信された受信信号が入力される入力端子と、前記第１のアンテナから供給された受信信号がアノード端子に接続された第１のダイオードと、前記入力端子から供給された受信信号がアノード端子に接続され、カソード端子が前記第１のダイオードのカソード端子に接続された第２のダイオードと、前記第２のダイオードのアノード端子に直流電圧を供給し、さらに前記第２のアンテナの内蔵するＬＮＡに動作電源を供給する第１の電源と、前記第１のダイオードのアノード端子に前記第１の電源が前記第２のダイオードのアノード端子に供給する直流電圧よりも低い直流電圧を供給する第２の電源と、前記第１の電源をＯＮ／ＯＦＦ制御する制御部と、前記第１及び第２のダイオードのカソード側に現れた受信信号が供給され、これを所定の周波数帯に周波数変換する周波数変換部と、該周波数変換部で変換された受信信号が供給され、送信時に施された前記変調を復調する復調部と、該復調部で復調された受信信号が供給され、送信時に施されたＭＰＥＧ方式に基づくデータ圧縮を伸張して復号するＭＰＥＧ復号部と、該ＭＰＥＧ復号部で復号された受信信号が供給され、画像表示するに適したフォーマットのアナログ信号に変換するＡＶ−ＩＦ部と、該ＡＶ−ＩＦ部で変換された受信信号を画像表示するモニタを有することを特徴としている。
【００１２】
また本発明は、放送信号を受信し、受信信号を処理するテレビジョン放送の受信装置のアンテナ切替え回路であって、前記テレビジョン放送を受信する第１のアンテナから供給された受信信号がアノード端子に接続された第１のダイオードと、前記テレビジョン放送を受信し受信信号を内蔵するＬＮＡで増幅する第２のアンテナから供給された受信信号がアノード端子に接続され、カソード端子が前記第１のダイオードのカソード端子に接続された第２のダイオードと、前記第２のダイオードのアノード端子に直流電圧を供給し、さらに前記第２のアンテナの内蔵するＬＮＡに動作電源を供給する第１の電源と、前記第１のダイオードのアノード端子に前記第１の電源が前記第２のダイオードのアノード端子に供給する直流電圧よりも低い直流電圧を供給する第２の電源と、前記第１の電源をＯＮ／ＯＦＦ制御する制御部を有し、前記第１及び第２のダイオードのカソード側に現れた受信信号を切替え出力とすることを特徴としている。
【００１３】
また本発明は、所定の変調を施されて送信された放送信号を受信し、受信信号を処理するテレビジョン放送の受信装置のチューナモジュールであって、前記テレビジョン放送を受信する第１のアンテナで受信された受信信号が入力される第１の入力端子と、前記テレビジョン放送を受信し受信信号を内蔵するＬＮＡで増幅する第２のアンテナから供給された受信信号が入力される第２の入力端子と、前記第１の入力端子から供給された受信信号がアノード端子に接続された第１のダイオードと、前記第２の入力端子から供給された受信信号がアノード端子に接続され、カソード端子が前記第１のダイオードのカソード端子に接続された第２のダイオードと、該第２のダイオードのアノード端子に直流電圧を供給し、さらに前記第２のアンテナの内蔵するＬＮＡに動作電源を供給する第１の電源の供給端子と、前記第１のダイオードのアノード端子に前記第１の電源が前記第２のダイオードのアノード端子に供給する直流電圧よりも低い直流電圧を供給する第２の電源の供給端子と、前記第１及び第２のダイオードのカソード側に現れた受信信号が供給され、これを所定の周波数帯に周波数変換する周波数変換部と、該周波数変換部で変換された受信信号が供給され、送信時に施された前記変調を復調する復調部を有することを特徴としている。
【発明の効果】
【００１４】
本発明によれば、アンテナ切替え部を簡素化した受信装置、受信装置のアンテナ切替え回路、及び受信装置のチューナモジュールを提供でき、装置の小型化やこれに伴う使い勝手の向上に寄与できるという効果がある。
【図面の簡単な説明】
【００１５】
【図１】従来の受信装置の放送受信部のブロック図である。
【図２】本発明の一実施例における受信装置の放送受信部のブロック図である。
【図３】本発明の一実施例における受信装置の放送受信部の別なブロック図である。
【発明を実施するための形態】
【００１６】
以下、本発明の実施形態について図面を用いながら説明する。
図１は従来の受信装置の放送受信部のブロック図であり、図２は本発明の一実施例における受信装置の放送受信部のブロック図である。先ず、従来の一例を述べたうえで、本実施例を詳しく説明する。
【００１７】
図１で、１は受信装置に内蔵されるフィルムアンテナないし受信装置に取付けられたロッドアンテナであり、２は受信装置が搭載される移動体（車の車体など）に取付けられたＬＮＡ内蔵の外付けアンテナである。外付けアンテナ２は車体の外部に突出することが多い。１Ａはアンテナ１で受信された受信信号の入力端子であり、２Ａはアンテナ２で受信された受信信号の入力端子である。アンテナ２は前記したように放送受信部から離れた位置にあるため、放送受信部側にはこれと接続するための入力端子２Ａを有している。一方、アンテナ１は放送受信部と一体のものであるため、入力端子１Ａは特に構成要素として意識されなくとも良い。
アンテナ１で受信された受信信号は、容量Ｃ１を介してアンテナ切替えＩＣ（４）の入力端子に供給される。アンテナ２で受信された受信信号は、ＬＮＡ（３）で後段の回路での信号処理に適した所定のレベルに増幅されたうえで、容量Ｃ２を介してアンテナ切替えＩＣ（４）の他の入力端子に供給される。
【００１８】
ＬＮＡ（３）には動作電源が必要であるが、第１の電源１１（これもＩＣを含むことが多い）で生成された直流電源が、容量Ｃ４で平滑化されたうえでコイルＬ１を介してＬＮＡ（３）に供給されている。なお、図中でＬＮＡ（３）の出力ラインは前記したようにアンテナ切替えＩＣ（４）に受信信号を供給するが、前記直流電源もこの信号ラインに重畳してＬＮＡ（３）に供給されることが多い。またコイルＬ１と容量Ｃ４は、前記した直流電源を供給するとともに、ＬＮＡ（３）側から見た入力インピーダンスを所定値とする作用も有している。
【００１９】
ＭＰＵ（Micro Processor Unit）１２は、受信装置の少なくも放送受信部全体を制御する制御部である。ＭＰＵ（１２）は第１の電源１１に対して、電源を供給するか否かを制御するＬＮＡ電源切替え制御信号を送り、第１の電源１１のＯＮ／ＯＦＦ制御を行う。また、アンテナ切替えＩＣ（４）の制御端子に対して、１と２のいずれのアンテナからの受信信号を選択するかを制御するアンテナ切替え制御信号を送り、受信信号を選択させる。アンテナ切替え制御信号が外付けアンテナ２で受信した受信信号を選択した場合には、ＬＮＡ電源切替え信号は第１の電源１１をＯＮするように制御する。反対に、前者がアンテナ１で受信した受信信号を選択した場合には、後者は第１の電源１１をＯＦＦするように制御する。
【００２０】
アンテナ切替え信号に基づきアンテナ切替えＩＣ（４）で選択された受信信号は、容量Ｃ３を介してチューナモジュール５に供給され、後記するような信号処理が施される。なお、チューナモジュール５の入力部にあるコイルＬ２と容量Ｃ５はフィルタ回路を形成しており、周波数変換部５１に入力される受信信号の帯域制限を行っている。
アンテナ切替えＩＣ（４）は、ＯＮ抵抗の少ない大型のＭＯＳＦＥＴを含むものであり、部品としてのサイズが大きいために基板上の占有面積が大きく、価格的には高価となり易く、また前記したようにアンテナ切替え制御信号が必要であるなどの問題があった。
【００２１】
これらを解決した本発明の第１の実施形態を、図２に基づいて詳しく述べる。
図２で図１と大きく異なる点は、アンテナ切替えＩＣ（４）を使用せず、代わりにダイオードＤ１が設けられている点であり、またこれに伴いＭＰＵ（１２）が生成していたアンテナ切替え制御信号が不要な点である。
【００２２】
またアンテナ切替えＩＣ（４）のような大型部品や容量Ｃ２が不要となったため、図示するようにダイオードＤ１をはじめ、容量Ｃ３、Ｃ４、コイルＬ１や抵抗Ｒ１を含む周辺部品をチューナモジュール５に搭載するようにしても良い。もちろん容量Ｃ１もチューナモジュール５に搭載しても良い。これにより、チューナモジュール５の単体での特性と、受信装置内部に実装した時の特性を近づけることができ、開発工程の短縮化に寄与することができる。
なお、図示したようなチューナモジュール５にとっては、図１の場合とは異なり、入力端子１Ａと１Ｂは切り口となる構成要素としての意味がある。
【００２３】
次に図２の回路ブロック図に基づき、全体の動作を説明する。ここでは図１で示した構成要素と同じで良いものには、同じ符号を付している。また容量Ｃ１、Ｃ３、Ｃ４、Ｃ５、コイルＬ１、Ｌ２などは対応する機能を有するものに同じ符号を付しているが、これは必ずしも値までが一致することを意味するものではない。例えば図１では、コイルＬ２と容量Ｃ５で周波数変換部５１に入力される受信信号の帯域制限を行なうフィルタを形成するとしたが、図２では、主にはコイルＬ１とＬ２、容量Ｃ３、Ｃ４とＣ５で該当するフィルタを形成するため、各々の値自体は異なることが多い。
【００２４】
受信アンテナとして外付けアンテナ２が装置に接続されておらず、フィルムアンテナないしロッドアンテナ１のみが機能する場合には、ＭＰＵ（１２）は第１の電源１１にＬＮＡ電源切替え制御信号を送り、第１の電源１１をＯＦＦさせる。すなわちＬＮＡ（３）に電源を供給しない。一方、ダイオードＤ１のアノード側には、抵抗Ｒ２を介して第２の電源９からの正電位が与えられている。このためダイオードＤ１は順バイアスとなって、第２の電源９から抵抗Ｒ２、ダイオードＤ１、コイルＬ１と抵抗Ｒ１を経由するバイアス電流が流れる。これはダイオードＤ１がスイッチＯＮの状態であることを意味し、アンテナ１で受信された受信信号は、容量Ｃ１、ダイオードＤ１、容量Ｃ３とＣ５を介して周波数変換部５１に供給される。
【００２５】
一方、外付けアンテナ２が装置に接続されている場合には、ＭＰＵ（１２）は第１の電源１１にＬＮＡ電源切替え制御信号を送り、第１の電源１１をＯＮさせる。すなわち、ＬＮＡ（３）にコイルＬ１と受信信号ラインを介して電源を供給する。これにより外付けアンテナ２で受信され、ＬＮＡ（３）で所定のレベルに増幅された受信信号は、ダイオードＤ１のカソード側に現れる。ここで第１の電源１１の電源電圧を、第２の電源９の電源電圧よりも高く設定すれば（一般に前者は３Ｖ程度、後者は５〜８Ｖ程度であるため、この条件は満足される）、ダイオードＤ１はＯＦＦの状態となり、外付けアンテナ２で受信された受信信号が容量Ｃ３、Ｃ５を介して周波数変換部５１に供給され、一方アンテナ１で受信された受信信号はダイオードＤ１で阻止される。
【００２６】
すなわちダイオードＤ１を用いることで、アンテナ切替えのための素子の小型化や簡素化はもちろん、図１のアンテナ切替え制御信号も不要となることが分かる。第１の電源１１と第２の電源９の出力する電圧値の大小関係が、図１のアンテナ切替え制御信号の作用を兼ねるからである。特に第２の電源９はＬＮＡ３への動作電源の供給と、このアンテナ切替え動作の双方に関わることとなる。
【００２７】
外付けアンテナ２が接続されている場合に、これで受信した受信信号を使用すると良い。当然ながら車体に取付けられたアンテナ２の方が、受信装置に付されたアンテナ１よりも受信状態が良いことが多いからである。
これに対し、いずれのアンテナの受信信号を使用するかを決める際に、手動で設定するようにしても良い。また外付けアンテナ２が接続されているか否かを自動検出し、接続されている場合には、これを選択するようにしても良い。自動検出にはいくつかの方法が考えられる。受信装置の回路基板に検出用のスイッチ部品があっても良く、また第１の電源１１をＯＮ状態にした際に、所定の負荷電流が流れるか否かで検出しても良い。
【００２８】
以上のようにして、ダイオードＤ１の作用によって選択された受信信号は、周波数変換部５１に供給される。周波数変換部５１では受信した高周波の受信信号を、次のＯＦＤＭ復調部５２で復調作用を行なうに適した周波数帯域に周波数変換する。元々は中間周波数帯域に変換するヘテロダイン変換が多用されてきたが、最近ではベースバンド帯域へ直接変換するダイレクト変換を使用することが多くなっている。
【００２９】
周波数変換部５１で周波数変換された受信信号は、ＯＦＤＭ復調部５２へ供給される。地上波ディジタル放送では放送局からの送信時に、ＯＦＤＭ（Orthogonal Frequency Division Multiplex；直交周波数分割多重）変調が施されており、この変調はＯＦＤＭ復調部５２で復調され、受信したデータが復調される。このデータには送受信するデータの容量を圧縮するためのＭＰＥＧ（Moving Picture Experts Group）圧縮符号化が施されている。そこで、ＯＦＤＭ復調部５２で復調された被圧縮データはＭＰＥＧ復号部６に供給され、ＭＰＥＧ圧縮前のデータに戻される。
【００３０】
ＭＰＥＧ復号部６で復号されたデータは、ＡＶ−ＩＦ（Audio Video Interface）部７に供給され、ＬＣＤモニタ８で画像表示するに適したフォーマットのアナログ信号となり、さらにＬＣＤ（Liquid Crystal Display）モニタ８に供給され、その画像表示部には放送された画像が視聴者に対して表示される。モニタ８の表示部はＬＣＤに限らず、ＰＤＰ（Plasma Display Panel）、ＥＬＤ（Electronic Luminescence Display）、ブラウン管など何であっても良い。
【００３１】
さきの第２の電源９は、内蔵するバッテリないし外部から供給される電源１０を供給され、これをレギュレートすることで生成されている。これはチューナモジュール５、ＭＰＥＧ復調部６、ＡＶ−ＩＦ（７）をはじめとする各構成要素の電源としても使われている。ＭＰＵ（１２）は、さきのＬＮＡ電源切替え制御信号を生成するほか、チューナモジュール５に対して同調させるチャンネルを制御するチューナ制御信号を生成し、さらにはＭＰＥＧ復号部６、ＡＶ−ＩＦ（７）、ＬＣＤモニタ８、第２の電源９の動作を制御し、すなわち、受信装置の少なくも放送受信部全体を制御している。
【００３２】
なお、第１の電源１１も電源１０をレギュレートして生成しても良い。またチューナモジュール５にとっては、第１の電源１１と第２の電源９は外部の構成要素となることが多い。この場合は、図示した入力端子５Ａと５Ｂは電源の供給端子として構成要素の意味を持つ。
以上述べたように本実施例によれば、アンテナスイッチ部に小型化また簡素化された部品を適用し、これによりアンテナ切替え制御信号を不要とし、部品の基板上の占有面積を低減することで、装置の小型化や低価格化を達成することができる。
【００３３】
次に図３の回路ブロック図に基づき、本発明の一実施例を説明する。図３は、本発明の一実施例における受信装置の放送受信部の図２とは別なブロック図である。
図３は図２の場合と比較し、ダイオードＤ２をコイルＬ１の一端と容量Ｃ３の一端との間に設け、さきのダイオードＤ１とカソード側を共通に接続し、ダイオードＤ１、Ｄ２のＯＮ電流を流す抵抗を、図２のＲ１に変えて図３のＲ３としている点が異なる。この場合も図２と同様、ＭＰＵ（１２）からのＬＮＡ電源切替え制御信号に応じて、第１の電源１１がＯＮ／ＯＦＦ制御される。
【００３４】
第１の電源１１がＯＮであれば、ＬＮＡ（３）には第１の電源１１からの動作電源が与えられ、またダイオードＤ２がＯＮしてダイオードＤ１がＯＦＦすることで、外付けアンテナ２で受信された受信信号が周波数変換部５１に供給される。逆に第１の電源１１がＯＦＦであれば、ＬＮＡ（３）には動作電源は与えられず、またダイオードＤ１がＯＮしてダイオードＤ２がＯＦＦすることで、アンテナ１で受信された受信信号が周波数変換部５１に供給される。
【００３５】
なお図３では、ダイオードＤ１がＯＮしてアンテナ１で受信された受信信号が周波数変換部５１に供給される際に、ＯＦＦ状態にあるダイオードＤ２の作用により、そのカソード側以降の回路部からは、チューナモジュール５の外側でＬＮＡ（３）に到る間の長い引回し部が有するインピーダンスが見え難くなっている。このため、アンテナ１を使用する際の周波数特性が、この引回し部の影響で変化する問題を低減する働きがある。すなわち、受信装置と外付けアンテナ２の間の距離が変化し、また回路基板上のパターン引回しが変更された場合でも、特性の大きな変化をきたさないようにする効果がある。一般に受信装置と外付けアンテナ２の間の距離やケーブルの引回しの状態は、使用状況や搭載する車によって大きく変化するため、これは本実施例の特徴的な効果の一つとなっている。
【００３６】
以上の実施形態はあくまで一例であり、本発明はこれに限定されるものではない。例えばチューナモジュール５に内蔵する部品については、多くの異なる例を考えることが出来る。また実施形態において、ＴＶ放送の受信部を記載して説明したが、このほかモバイル通信部をはじめとする多くの構成要素があっても良い。このほかにも、さらに多くの異なる実施形態が考えられるが、いずれも本発明の範疇にある。
【符号の説明】
【００３７】
１：アンテナ、２：外付けアンテナ、２Ａ：入力端子、３：ＬＮＡ、５：チューナモジュール、６：ＭＰＥＧ復号部、７：ＡＶ−ＩＦ部、８：モニタ、９：第２の電源、１１：第１の電源。
【図１】
2011077666.tif 000003
【図２】
2011077666.tif 000004
【図３】
2011077666.tif 000005